(57)【要約】【課題】通信ネットワークを介した遠隔会議等において、端末のウェブブラウザによって各windowにコンテンツを表示させる場合、利用者が、一方のwindow（操作表示領域１３２ｃの一例）から他方のwindow（操作表示領域の１１２ｃの一例）に画面の画像のコンテンツを取り込む動作に時間を掛けていると、会議等の会話を聞き逃してしまう。通信ネットワークを介した遠隔会議等で会話を聞き逃してしまうと、再度、遠隔の相手に話してもらう場合、現実の会議室のようにスムーズに相手に伝えづらい。【解決手段】利用者Ｃは、キャプチャボタンｃ１を押下するだけで（Ｓ１４）、画面の画像を取り込むことができる。これにより、会議等の会話を聞き逃してしまうという問題を解消することができる。【選択図】図８
2020058024.tif 000002
【特許請求の範囲】
【請求項１】
コンテンツを管理するコンテンツ管理サーバから送信されたコンテンツのデータに基づき、ウェブブラウザによって所定の操作表示領域に前記コンテンツを表示する通信端末であって、
前記ウェブブラウザによって、第１の操作表示領域及び第２の操作表示領域を表示する表示制御手段と、
前記第１の操作表示領域に表示されたコンテンツを第２の操作の操作表示領域に表示させるための処理を受け付ける受付手段と、
前記受付手段により前記処理を受け付けたことに基づいて、前記コンテンツに関する要求を送信する送信手段と、
前記送信手段によって前記コンテンツに関する要求が送信されたことにより、前記コンテンツ管理サーバが送信した前記コンテンツのデータを受信する受信手段と、
を有し、
前記表示制御手段は、前記第２の操作表示領域に、前記受信手段によって受信されたデータに係る前記コンテンツを表示することを特徴とする通信端末。
【請求項２】
請求項１に記載の通信端末であって、
前記受付手段によって前記処理が受け付けられたことにより、前記第１の操作表示領域に表示されたコンテンツのデータを取り込む取込手段を有し、
前記送信手段は、前記コンテンツ管理サーバに対して、前記取込手段によって取り込まれた前記コンテンツのデータを送信し、
前記送信手段によって前記コンテンツのデータが送信されたことにより、前記受信手段は、前記コンテンツ管理サーバが送信した前記コンテンツのデータを受信することを特徴とする通信端末。
【請求項３】
前記コンテンツに関する要求は、前記コンテンツのデータの記憶要求であることを特徴とする請求項２に記載の通信端末。
【請求項４】
前記表示制御手段は、前記第１の操作表示領域に表示されたコンテンツのデータを取り込む受け付けを行うための受付情報を表示し、
前記受付手段は、前記受付情報に対する操作によって前記処理を受け付けること
を特徴とする請求項３に記載の通信端末。
【請求項５】
前記表示制御手段は、前記第２の操作表示領域上に前記受付情報を表示することを特徴とする請求項４に記載の通信端末。
【請求項６】
前記第１の操作表示領域は共有画面のコンテンツを表示する操作表示領域であり、前記第２の操作表示領域は個人のコンテンツを表示する操作表示領域であることを特徴とする請求項１乃至５のいずれか一項に記載の通信端末。
【請求項７】
前記第１の操作表示領域は共有画面のコンテンツを表示する操作表示領域であり、前記第２の操作表示領域は共用のコンテンツを表示する操作表示領域であることを特徴とする請求項１乃至５のいずれか一項に記載の通信端末。
【請求項８】
前記表示制御手段は、共有画面のコンテンツを表示する前記第１の操作表示領域上に前記受付情報を表示することを特徴とする請求項４に記載の通信端末。
【請求項９】
前記受付手段によって前記処理が受け付けられたことにより、前記送信手段は、前記コンテンツ管理サーバに対して、前記コンテンツに関する要求として、前記第１の操作表示領域に表示させるために送信されているコンテンツのデータを取り込む要求を示す要求情報を送信し、
前記送信手段によって前記要求情報が送信されたことにより、前記受信手段は、前記コンテンツ管理サーバが取り込んで送信した前記コンテンツのデータを受信することを特徴とする請求項１に記載の通信端末。
【請求項１０】
前記取込手段は、前記第２の操作表示領域と予め対応付けられた第１の表示操作領域に表示されるコンテンツのデータを取り込むことを特徴とする請求項２又は３に記載の通信端末。
【請求項１１】
請求項１乃至１０のいずれか一項に記載の通信端末と、
前記コンテンツ管理サーバと、
を有することを特徴とする情報共有システム。
【請求項１２】
請求項１１に記載の情報共有システムであって、
前記コンテンツ管理サーバに対して、前記第１の操作表示領域に表示される前記コンテンツのデータを送信する他の通信端末を有することを特徴とする請求項１１に記載の情報共有システム。
【請求項１３】
コンテンツを管理するコンテンツ管理サーバから送信されたコンテンツのデータに基づき、ウェブブラウザによって所定の操作表示領域に前記コンテンツを表示する通信端末が実行する表示方法であって、
前記ウェブブラウザによって、第１の操作表示領域及び第２の操作表示領域を表示する表示制御ステップと、
前記第１の操作表示領域に表示されたコンテンツを、前記第２の操作表示領域に表示させる処理を受け付ける受付ステップと、
前記第１の操作表示領域に表示されたコンテンツを第２の操作の操作表示領域に表示させるための処理を受け付ける受付ステップと、
前記受付ステップによって前記処理が受け付けられたことにより、前記第１の操作表示領域に表示されたコンテンツのデータを取り込む取込ステップと、
前記コンテンツ管理サーバに対して、前記取込ステップによって取り込まれた前記コンテンツのデータを送信する送信ステップと、
前記送信ステップによって前記コンテンツのデータが送信されたことにより、前記コンテンツ管理サーバが送信した前記コンテンツのデータを受信する受信ステップと、
を実行し、
前記表示制御ステップは、前記第２の操作表示領域に、前記受信ステップによって受信されたデータに係る前記コンテンツを表示する処理を含むことを特徴とする表示方法。
【請求項１４】
コンテンツを管理するコンテンツ管理サーバから送信されたコンテンツのデータに基づき、ウェブブラウザによって所定の操作表示領域に前記コンテンツを表示する通信端末が実行する表示方法であって、
前記ウェブブラウザによって、第１の操作表示領域及び第２の操作表示領域を表示する表示制御ステップと、
前記第１の操作表示領域に表示されたコンテンツを前記第２の操作表示領域に表示させる処理を受け付ける受付ステップと、
前記受付ステップによって前記処理が受け付けられたことにより、前記コンテンツ管理サーバに対して、前記第１の操作表示領域に表示させるために送信されているコンテンツのデータを取り込む要求を示す要求情報を送信する送信ステップと、
前記送信ステップによって前記要求情報が送信されたことにより、前記コンテンツ管理サーバが取り込んで送信した前記コンテンツのデータを受信する受信ステップと、
を実行し、
前記表示制御ステップは、前記第２の操作表示領域に、前記受信ステップによって受信されたデータに係る前記コンテンツを表示する処理を含むことを特徴とする表示方法。
【請求項１５】
コンピュータに、請求項１３又は１４に記載の方法を実行させるためのプログラム。
【発明の詳細な説明】
【技術分野】
【０００１】
本開示内容は、通信ネットワークを介してコンテンツを共用する発明に関する。
【背景技術】
【０００２】
近年、働き方改革を促進するため、ICT（情報通信技術）を活用した場所や時間にとらわれない柔軟な働き方であるテレワークが行われるようになった。また、テレワークを行う場合であっても複数拠点で会議や打合せを行うことができるように、通信ネットワークを介して会議等の資料を共用（又は共有）したり、ビデオ会議が行われたりしている。この場合、サーバによって仮想のルーム(Room)が作成され、この仮想のルームに参加した各利用者が、資料を共用（又は共有）することで、できるだけ現実の会議室に近づけた会議を行うことができる（特許文献１参照）。このような情報共用システムによって、個人の資料のコンテンツを仮想のルームで共用（又は共有）したり、仮想のルームで共用（又は共有）している資料のコンテンツを個人の資料として取り込んだりすることができる。例えば、利用者は、PC(Personal Computer)等の個人端末に２つのwindow(PCのGUI(Graphical User Interface)等によって、操作やコンテンツの表示を行うことができる矩形の操作表示領域)を表示させ、一方のwindow上で個人のコンテンツを作成しておき、他方の共用（又は共有）のコンテンツを表示させているwindowに個人のコンテンツをコピー動作等で取り込むことで、個人のコンテンツを共用（又は共有）することができる。例えば、利用者は、PC(Personal Computer)等の個人端末にウェブブラウザによって共用（又は共有）のwindow(PCのGUI(Graphical User Interface)を表示させ、この共用（又は共有）のwindowにサーバから得た共用（又は共有）のコンテンツを表示させて遠隔会議を行う。また、利用者は、同じ個人端末で、文書作成ソフト、表計算ソフト、又はプレゼンテーションソフトによる別の個人用のwindowを起動することで、個人の資料を閲覧しながら遠隔会議を行うこともできる。
【発明の概要】
【発明が解決しようとする課題】
【０００３】
ところが、例えば、共用（又は共有）のwindowだけでなく、個人用のwindowについてもウェブブラウザによって表示させ、個人用のwindowにもサーバからのコンテンツを表示させることで、ウェブブラウザで表示する複数のwindow等の操作表示領域間でコンテンツの連携を行いたいというニーズがある。
【課題を解決するための手段】
【０００４】
請求項１に係る発明は、コンテンツを管理するコンテンツ管理サーバから送信されたコンテンツのデータに基づき、ウェブブラウザによって所定の操作表示領域に前記コンテンツを表示する通信端末であって、前記ウェブブラウザによって、第１の操作表示領域及び第２の操作表示領域を表示する表示制御手段と、前記第１の操作表示領域に表示されたコンテンツを、前記第２の操作表示領域に表示させる処理を受け付ける受付手段と、前記受付手段によって前記処理が受け付けられたことにより、前記第１の操作表示領域に表示されたコンテンツのデータを取り込む取込手段と、前記コンテンツ管理サーバに対して、前記取込手段によって取り込まれた前記コンテンツのデータを送信する送信手段と、前記送信手段によって前記コンテンツのデータが送信されたことにより、前記コンテンツ管理サーバが送信した前記コンテンツのデータを受信する受信手段と、を有し、前記表示制御手段は、前記第２の操作表示領域に、前記受信手段によって受信されたデータに係る前記コンテンツを表示することを特徴とする通信端末である。
【発明の効果】
【０００５】
ウェブブラウザで表示する第１及び第２の操作表示領域間でコンテンツの連携を行うことができる。
【図面の簡単な説明】
【０００６】
【図１】情報共用システムの全体概念図である。
【図２】情報共用システムを構成する各端末及びサーバのハードウェア構成図である。
【図３】情報共有システムを構成する各端末及びサーバの機能ブロック図である。
【図４】（ａ）は個人コンテンツ管理テーブルの概念図、（ｂ）は共用コンテンツ管理テーブルの概念図である。
【図５】個人電子キャンパス表示用の操作表示領域の表示例を示した図である。
【図６】共用電子キャンパス表示用の操作表示領域の表示例を示した図である。
【図７】共有電子スクリーン表示用の操作表示領域の表示例を示した図である。
【図８】個人電子キャンパス表示用の操作表示領域上のキャプチャボタンの押下により、共有電子スクリーンのコンテンツを個人電子キャンパスに取り込む処理を示した概念図である。
【図９】共用電子キャンパス表示用の操作表示領域上のキャプチャボタンの押下により、共有電子スクリーンのコンテンツを共用電子キャンパスに取り込む処理を示した概念図である。
【図１０】共有電子スクリーン表示用の操作表示領域上のキャプチャボタンの押下により、共有電子スクリーンのコンテンツを共用電子キャンパスに取り込む処理を示した概念図である。
【図１１】コンテンツの入力及び表示の処理を示したシーケンス図である。
【図１２】第１の実施形態に係り、個人電子キャンパス表示用の操作表示領域上のキャプチャボタンの押下により、共有電子スクリーンのコンテンツを個人電子キャンパスに取り込む処理を示したシーケンス図である。
【図１３】画面キャプチャ処理を示したフローチャートである。
【図１４】コンテンツのデータの記憶処理を示したフローチャートである。
【図１５】第１の実施形態に係り、共用電子キャンパス表示用の操作表示領域上のキャプチャボタンの押下により、共有電子スクリーンのコンテンツを共用電子キャンパスに取り込む処理を示したシーケンス図である。
【図１６】第１の実施形態に係り、共有電子スクリーン表示用の操作表示領域上のキャプチャボタンの押下により、共有電子スクリーンのコンテンツを共用電子キャンパスに取り込む処理を示したシーケンス図である。
【図１７】第２の実施形態に係り、個人電子キャンパス表示用の操作表示領域上のキャプチャボタンの押下により、共有電子スクリーンのコンテンツを個人電子キャンパスに取り込む処理を示したシーケンス図である。
【図１８】第２の実施形態に係り、共用電子キャンパス表示用の操作表示領域上のキャプチャボタンの押下により、共有電子スクリーンのコンテンツを共用電子キャンパスに取り込む処理を示したシーケンス図である。
【図１９】第２の実施形態に係り、共有電子スクリーン表示用の操作表示領域上のキャプチャボタンの押下により、共有電子スクリーンのコンテンツを共用電子キャンパスに取り込む処理を示したシーケンス図である。
【図２０】画面表示の変形例１を示す図である。
【図２１】画面表示の変形例２を示す図である。
【発明を実施するための形態】
【０００７】
〔第１の実施形態〕
図１乃至図１６を用いて、本発明の第１の実施形態について説明する。
【０００８】
＜情報共用システムの全体概念＞
まず、図１を用いて、情報共用システムの全体概念について説明する。図１は、情報共用システムの全体概念図である。ここでは、会社の会議室Ｘにいる利用者Ａ，Ｂと、自宅Ｙにいる利用者Ｃが、情報共用システムを利用して遠隔会議を行っている状態が示されている。会議室Ｘには、利用者Ａが個人端末２ａを持ち込み、利用者Ｂが個人端末２ｂを持ち込んでいる。また、会議室Ｘには、複数の利用者が共用可能な共用端末４が設置されている。一方、自宅Ｙには、利用者Ｃが個人端末２ｃを持ち込んでいる。なお、以下、個人端末２ａ，２ｂ，２ｃの総称を示す場合には、「個人端末２」と記す。
【０００９】
各個人端末２は、利用者がそれぞれ個別に（専用に）使用及び画面の閲覧が可能なコンピュータである。共用端末４は、複数の利用者が共同で、使用及び画面の閲覧が可能なコンピュータである。個人端末２及び共用端末４は、例えば、タブレット端末、スマートフォン、PC(Personal Computer)、PDA(Personal Digital Assistant)、スマートウォッチ、電子黒板、デジタルテレビ、ゲーム機器、コピー機能を備えたＭＦＰ(Multifunction Peripheral)カーナビゲーション装置等である。なお、個人端末２及び共用端末４は、通信端末（又は情報処理端末）の一例である。
【００１０】
各個人端末２及び共用端末４は、インターネット等の通信ネットワーク９を介してコンテンツ管理サーバ６と通信することができる。通信ネットワーク９は、ファイヤウォールの内側にある１つ以上のＬＡＮ(Local Area Network)でもよいし、ＬＡＮに加えてファイヤウォールの外側にあるインターネットを含んでもよい。この他、ＶＰＮ（Virtual Private Network）や広域イーサネット（登録商標）が含まれていてもよい。通信ネットワーク９は有線又は無線のどちらで構築されてもよく、また、有線と無線が組み合わされていてもよい。また、３Ｇ、ＬＴＥ（Long Term Evolution）、４Ｇなどの携帯電話網により接続される場合、ＬＡＮはなくてもよい。
【００１１】
コンテンツ管理サーバ６は、個人端末２及び共用端末４に対して送信するコンテンツのデータを記憶及び管理しているウェブ(Web)サーバ（又はHTTPサーバ）としての機能を有するコンピュータである。コンテンツ管理サーバ６は、後述の記憶部６０００を備えており、記憶部６０００には各個人端末２からしかアクセスできない個人電子キャンパスを実現するための記憶位置（又は記憶領域）が構築されている。具体的には、個人電子キャンパスｄｃ１，ｄｃ２，ｄｃ３には、それぞれ個人端末２ａ，２ｂ，２ｃしかアクセスできない。なお、以下、個人電子キャンパスｄｃ１，ｄｃ２，ｄｃ３の総称を示す場合には、「個人電子キャンパスｄｃ」と記す。
【００１２】
また、コンテンツ管理サーバ６は、クラウドコンピューティングに対応していてもよい。クラウドコンピューティングとは、特定ハードウェア資源が意識されずにネットワーク上のリソースが利用される利用形態をいう。
【００１３】
また、コンテンツ管理サーバ６の記憶部６０００には、各個人端末２からアクセスできる共用電子キャンパスｃｃを実現するための記憶位置（又は記憶領域）が構築されている。更に、コンテンツ管理サーバ６の記憶部６０００には、各個人端末２からアクセスできる共有電子スクリーンｓｓを実現するための記憶位置（又は記憶領域）が構築されている。
【００１４】
「電子キャンパス」は、平織りで織られた厚手の布ではなく、コンテンツ管理サーバ６の記憶部６０００の記憶位置（又は記憶領域）に作成される仮想的なスペースである。電子キャンパスに対しては、例えば、Canvas要素とJavaScript（登録商標）等によって、コンテンツを閲覧及び編集することができる機能を備えている電子キャンパス用のウェブアプリによってアクセスすることができる。ウェブアプリは、ウェブブラウザ上で動作するスクリプト言語（例えば、JavaScript（登録商標））によるプログラムとウエブサーバ側のプログラムが協調することによって動作し、ウェブブラウザ上で使用されるソフトウェア又はその仕組みを示す。個人電子キャンパス、及び共用電子キャンパスは、記憶部６０００の記憶領域の範囲で無限の領域を有している。
【００１５】
また、「電子スクリーン」は、映画やスライド画像などを映して見るための白い幕ではなく、コンテンツ管理サーバ６の記憶部６０００の記憶位置（又は記憶領域）に作成される仮想的なスペースである。この電子スクリーンは、電子キャンパスと異なり、単に個人端末２や共用端末４に送信（配信）するコンテンツのデータを保持しておき、次のコンテンツを取得するまで前のコンテンツを保持する機能を備えている。電子スクリーンに対しては、コンテンツを閲覧することができる機能を備えている電子スクリーン用のウェブアプリによってアクセスすることができる。
【００１６】
更に、「個人電子キャンパス」は、遠隔会議に参加している利用者の各個人専用の電子的なスペースであり、各利用者の個人端末２は、各個人電子キャンパスに対してのみアクセスでき、文字や画像等のコンテンツの閲覧及び編集（入力、削除、コピー等）を行うことができる。「共用電子キャンパス」は、遠隔会議に参加している各利用者の共用の電子的なスペースであり、各利用者の個人端末２は、いずれも共用電子キャンパスに対してアクセスでき、文字や画像等のコンテンツの閲覧及び編集（入力、削除、コピー等）を行うことができる。
【００１７】
「共有電子スクリーン」は、遠隔会議に参加している各利用者の共有の電子的なスペースであり、各利用者の個人端末２は、いずれも共有電子スクリーンに対してアクセスできて、共有電子スクリーンに保持されている共有画面を閲覧できる。但し、共有電子スクリーンは、個人電子キャンパス及び共用電子キャンパスと異なり、単に個人端末２や共用端末４に送信（配信）するコンテンツのデータを保持しておき、次のコンテンツを取得するまで前のコンテンツを保持する機能を備えている。例えば、個人端末２ａから共有電子スクリーンｓｓにコンテンツのデータを送信した後、個人端末２ｂから共用電子スクリーンｓｓにコンテンツのデータを送信すると、共有電子スクリーンｓｓが保持するコンテンツのデータは、直近に受信したデータとなる。
【００１８】
コンテンツ管理サーバ６は、仮想ルームごとに、共有電子スクリーンｓｓ、共有電子キャンパスｃｃ、及び個人電子キャンパスｄｃに展開されるコンテンツ等の情報を対応付けて管理している。これにより、コンテンツ管理サーバ６では、複数の仮想ルームを管理していても、異なる仮想ルーム間でコンテンツのデータの通信が行われることはない。
【００１９】
各個人端末２は、各自端末に搭載されたウェブブラウザの上記ウェブアプリによって、個人電子キャンパスｄｃ、共用電子キャンパスｃｃ、及び共有電子スクリーンｓｓのコンテンツを表示させることができる。
【００２０】
なお、図１では、２つの拠点（会議室Ｘ、自宅Ｙ）で遠隔会議をする場合を示しているが、これに限るものではない。例えば、１拠点のみの会議、又は３拠点以上での遠隔会議をしてもよい。
【００２１】
＜ハードウェア構成＞
図２を用いて、情報共用システムを構成する各端末及びサーバのハードウェア構成について説明する。図２は、情報共用システムを構成する各端末及びサーバのハードウェア構成図である。
【００２２】
＜＜個人端末のハードウェア構成＞＞
図２に示されているように、個人端末２は、ＣＰＵ(Central Processing Unit)２０１、ＲＯＭ(Read Only Memory)２０２、ＲＡＭ(Random Access Memory)２０３、ＨＤ(Hard Disk)２０４、ＨＤＤ(Hard Disk Drive)コントローラ２０５、記録メディア２０６、メディアＩ／Ｆ２０７、ディスプレイ２０８、タッチパネル２０９、ネットワークＩ／Ｆ２１０、キーボード２１１、マウス２１２、ＣＤ−ＲＷ(Compact Disc-ReWritable)ドライブ２１４、及び、バスライン２２０を備えている。
【００２３】
これらのうち、ＣＰＵ２０１は、個人端末２全体の動作を制御する。ＲＯＭ２０２は、ＣＰＵ２０１の駆動に用いられるプログラムを記憶する。ＲＡＭ２０３は、ＣＰＵ２０１のワークエリアとして使用される。ＨＤ２０４は、プログラム等の各種データを記憶する。ＨＤＤコントローラ２０５は、ＣＰＵ２０１の制御にしたがってＨＤ２０４に対する各種データの読み出し又は書き込みを制御する。メディアＩ／Ｆ２０７は、フラッシュメモリ等の記録メディア２０６に対するデータの読み出し又は書き込み（記憶）を制御する。ディスプレイ２０８は、カーソル、メニュー、ウィンドウ、文字、又は画像などの各種情報を表示する。タッチパネル２０９は、利用者がディスプレイ２０８を押下することで、個人端末２を操作する入力手段の一種である。ネットワークＩ／Ｆ２１０は、通信ネットワーク９を利用してデータ通信をするためのインターフェースである。キーボード２１１は、文字、数値、各種指示などの入力のための複数のキーを備えた入力手段の一種である。マウス２１２は、各種指示の選択や実行、処理対象の選択、カーソルの移動などを行う入力手段の一種である。ＣＤ−ＲＷドライブ２１４は、着脱可能な記録媒体の一例としてのＣＤ−ＲＷ２１３に対する各種データの読み出し又は書き込みを制御する。なお、個人端末２が利用者と対話可能であれば、ディスプレイ２０８、タッチパネル２０９、キーボード２１１、又はマウス２１２は、個人端末２とは別に設けられてもよい。
【００２４】
＜＜コンテンツ管理サーバのハードウェア構成＞＞
また、共用端末４は、ＣＰＵ４０１、ＲＯＭ４０２、ＲＡＭ４０３、ＨＤ４０４、ＨＤＤコントローラ４０５、記録メディア４０６、メディアＩ／Ｆ４０７、ディスプレイ４０８、タッチパネル４０９、ネットワークＩ／Ｆ４１０、キーボード４１１、マウス４１２、ＣＤ−ＲＷドライブ４１４、及び、バスライン４２０を備えている。これらは、それぞれ上述の構成（ＣＰＵ２０１、ＲＯＭ２０２、ＲＡＭ２０３、ＨＤ２０４、ＨＤＤコントローラ２０５、記録メディア２０６、メディアＩ／Ｆ２０７、ディスプレイ２０８、タッチパネル２０９、ネットワークＩ／Ｆ２１０、キーボード２１１、マウス２１２、ＣＤ−ＲＷドライブ２１４、及び、バスライン２２０）と同様の構成であるため、これらの説明を省略する。
【００２５】
また、コンテンツ管理サーバ６は、ＣＰＵ６０１、ＲＯＭ６０２、ＲＡＭ６０３、ＨＤ６０４、ＨＤＤコントローラ６０５、記録メディア６０６、メディアＩ／Ｆ６０７、ディスプレイ６０８、タッチパネル６０９、ネットワークＩ／Ｆ６１０、キーボード６１１、マウス６１２、ＣＤ−ＲＷドライブ６１４、及び、バスライン６２０を備えている。これらは、それぞれ上述の構成（ＣＰＵ２０１、ＲＯＭ２０２、ＲＡＭ２０３、ＨＤ２０４、ＨＤＤコントローラ２０５、記録メディア２０６、メディアＩ／Ｆ２０７、ディスプレイ２０８、タッチパネル２０９、ネットワークＩ／Ｆ２１０、キーボード２１１、マウス２１２、ＣＤ−ＲＷドライブ２１４、及び、バスライン２２０）と同様の構成であるため、これらの説明を省略する。なお、コンテンツ管理サーバ６は、タッチパネル６０９を備えていなくてもよい。
【００２６】
また、ＣＤ−ＲＷドライブではなく、ＤＶＤ−Ｒドライブ等であってもよい。また、個人端末２、共用端末４、及びコンテンツ管理サーバ６は、それぞれ単一のコンピュータによって構築されてもよいし、各部（機能、手段、又は記憶部）を分割して任意に割り当てられた複数のコンピュータによって構築されていてもよい。
【００２７】
＜機能構成＞
図３を用いて、情報共用システムを構成する各端末及びサーバの機能構成について説明する。図３は、情報共有システムを構成する各端末及びサーバの機能ブロック図である。
【００２８】
＜＜個人端末の機能構成＞＞
まずは、個人端末２ａの機能構成について説明する。図３に示されているように、個人端末２ａは、送受信部２１ａ、受付部２２ａ、画像処理部２３ａ、表示制御部２４ａ、判断部２５ａ、記憶・読出処理部２９ａ、及び通信管理部３０ａを有している。これら各部は、図２に示されている各構成要素のいずれかが、ＨＤ２０４からＲＡＭ２０３上に展開されたプログラムに従ったＣＰＵ２０１からの命令によって動作することで実現される機能、又は機能する手段である。また、個人端末２ａは、図２に示されているＲＡＭ２０３及びＨＤ２０４によって構築される記憶部２０００ａを有している。
【００２９】
なお、送受信部２１ａ、受付部２２ａ、画像処理部２３ａ、表示制御部２４ａ、判断部２５ａ、及び記憶・読出処理部２９ａは、後述の操作表示領域を表示させるウェブブラウザ（のウェブアプリケーション）によって実現される。また、通信管理部３０ａは、専用の通信アプリケーションによって実現される。
【００３０】
（個人コンテンツ管理ＤＢ）
図４（ａ）は個人コンテンツ管理テーブルの概念図である。個人端末２ａの記憶部２０００ａには、図４（ａ）に示されているような個人コンテンツ管理テーブルによって構成されている個人コンテンツ管理ＤＢ２００１ａが構築されている。なお、個人コンテンツ管理ＤＢ２００１ａは、ウェブブラウザの表示対象である個人電子キャンパス（ＵＲＬ）毎に、ウェブブラウザのキャッシュに作成されているため、ウェブブラウザが起動している間だけ存在する。
【００３１】
個人コンテンツ管理テーブルで管理されているデータは、コンテンツ管理サーバ６における後述の個人コンテンツ管理ＤＢ６００１で管理されている個人端末２毎のデータと同じである。例えば、個人端末２ａは、コンテンツ管理サーバ６で管理されている各個人端末２のデータのうち、個人端末２ａ用のデータを取得して、個人コンテンツ管理ＤＢ２００１ａで管理する。
【００３２】
また、個人コンテンツ管理テーブルでは、個人電子キャンパスのアクセス位置（場所）を特定するためのＵＲＬ(Uniform Resource Locator)毎に、コンテンツＩＤ、コンテンツのデータ、及びコンテンツの表示位置情報が関連付けて管理されている。これらのうち、コンテンツＩＤは、各コンテンツを識別するためのコンテンツ識別情報の一例である。コンテンツのデータは、テキストデータ、画面キャプチャ画像等の画像、描画により得られたベクタデータ等のデータである。表示位置情報は、個人電子キャンパスにおけるコンテンツの表示位置を示している。この表示位置は、無限キャンパスである個人電子キャンパス上のどの位置に表示されているかを示している。
【００３３】
なお、ＵＲＬは、位置指定情報の一例である。位置指定情報には、ＵＲＩ(Uniform Resource Identifier)等も含まれる。
【００３４】
（共用コンテンツ管理ＤＢ）
図４（ｂ）は共用コンテンツ管理テーブルの概念図である。個人端末２ａの記憶部２０００ａには、図４（ｂ）に示されているような共用コンテンツ管理テーブルによって構成されている共用コンテンツ管理ＤＢ２００２ａが構築されている。なお、共用コンテンツ管理ＤＢ２００２ａは、ウェブブラウザの表示対象である共用電子キャンパス（ＵＲＬ）毎に、ウェブブラウザのキャッシュに作成されているため、ウェブブラウザが起動している間だけ存在する。
【００３５】
共用コンテンツ管理テーブルで管理されているデータは、コンテンツ管理サーバ６における後述の共用コンテンツ管理ＤＢ６００２で管理されているデータと同じである。例えば、個人端末２ａは、コンテンツ管理サーバ６における共用コンテンツ管理ＤＢ６００２で管理されているデータを取得して、共用コンテンツ管理ＤＢ２００２ａで管理する。
【００３６】
また、共用コンテンツ管理テーブルでは、共用電子キャンパスのアクセス位置（場所）を特定するためのＵＲＬ毎に、コンテンツＩＤ、コンテンツのデータ、及びコンテンツの表示位置情報が関連付けて管理されている。コンテンツＩＤ、コンテンツのデータ、及びコンテンツの表示位置情報は、個人コンテンツ管理テーブルにおける各データと同じ意味であるため、これらの説明を省略する。
【００３７】
（各機能構成）
次に、個人端末２ａの各機能構成について詳細に説明する。
【００３８】
送受信部２１ａは、通信ネットワーク９を介して、他の端末、装置又はサーバ等と各種データ（または情報）の送受信を行う。例えば、送受信部２１ａは、HTML、CSS(Cascade Style Sheet)、及びJavaScript（登録商標）で記述されたコンテンツのデータをコンテンツ管理サーバ６から受信する。また、送受信部２１ａは、利用者によって入力された操作情報をコンテンツ管理サーバ６に送信する。
【００３９】
受付部２１ａは、利用者によってキーボード２１１及びマウス２１２から、各種入力を受け付ける。
【００４０】
画像処理部２３ａは、例えば、利用者の描画に応じてベクタデータ（又はストロークデータ）を作成する等の処理を行う。また、画像処理部２３ａは、取込部としての機能を有し、例えば、後述の操作表示領域１３２ａの画面キャプチャを行うことで、画面の画像データを取り込む。
【００４１】
表示制御部２３ａは、ディスプレイ２０８に、各種画像や画面のコンテンツを表示させる。
【００４２】
判断部２５ａは、各種判断を行なう。
【００４３】
記憶・読出処理部２９ａは、図２に示されているＣＰＵ２０１からの命令、並びに、ＨＤＤコントローラ２０５、メディアＩ／Ｆ２０７、及びＣＤ−ＲＷドライブ２１４によって実行され、記憶部２０００ａ、記録メディア２０６、及びＣＤ−ＲＷ２１３に各種データを記憶したり、記憶部２０００ａ、記録メディア２０６、及びＣＤ−ＲＷ２１３から各種データを読み出したりする処理を行う。
【００４４】
通信管理部３０ａは、主に、図２に示されているＣＰＵ２０１からの命令によって実現され、送受信部２１ａ等とデータの入出力を行う。この通信管理部３０ａは、更に、送受信部３１ａ、取込部３３ａ、及び判断部３５ａを有している。これらのうち、送受信部３１ａは、送受信部２１ａとは独立して、通信ネットワーク９を介してコンテンツ管理サーバ６と各種データ（または情報）の送受信を行う。取込部３３ａは、基本的に、画像処理部２３ａの取込部としての機能と同様の機能であり、例えば、後述の操作表示領域１３２ａの画面キャプチャを行うことで、画面の画像データを取り込む。判断部３５ａは、各種判断を行い、例えば、共有電子スクリーン用の操作表示領域１３２ａが個人端末２ａのディスプレイ２０８上で表示されているか否かを判断する。
【００４５】
なお、個人端末２ｂ，２ｃは、それぞれ、送受信部２１ｂ，２１ｃ、受付部２２ｂ，２２ｃ、画像処理部２３ｂ，２３ｃ、表示制御部２４ｂ，２４ｃ、判断部２５ｂ，２５ｃ、記憶・読出処理部２９ｂ，２９ｃ、及び通信管理部３０ｂ，３０ｃを有している。これら各部は、図２に示されている各構成要素のいずれかが、ＨＤ２０４からＲＡＭ２０３上に展開されたプログラムに従ったＣＰＵ２０１からの命令によって動作することで実現される機能、又は機能する手段である。また、個人端末２ｂ，２ｃは、図２に示されているＲＡＭ２０３及びＨＤ２０４によって構築される記憶部２０００ｂ，２０００ｃを有している。送受信部２１ｂ，２１ｃ、受付部２２ｂ，２２ｃ、画像処理部２３ｂ，２３ｃ、表示制御部２４ｂ，２４ｃ、判断部２５ｂ，２５ｃ、記憶・読出処理部２９ｂ，２９ｃ、通信管理部３０ｂ，３０ｃ及び、記憶部２０００ｂ，２０００ｃは、個人端末２ａにおける、送受信部２１ａ、受付部２２ａ、画像処理部２３ａ、表示制御部２４ａ、判断部２５ａ、記憶・読出処理部２９ａ、及び通信管理部３０ｂ，３０ｃ及び記憶部２０００ａと同様であるため、説明を省略する。なお、通信管理部３０ｂ，３０ｃにおける送受信部３１ｂ，３１ｃ、取込部３３ｂ，３３ｃ、及び判断部３５ｂ，３５ｃも、それぞれ、通信管理部３０ａにおける送受信部３１ａ、取込部３３ａ、及び判断部３５ａと同様の機能であるため、その説明を省略する。
【００４６】
また、個人端末２ｂの記憶部２０００ｂには、個人コンテンツ管理ＤＢ２００１ｂ，２００２ｂが構築されている。個人端末２ｃの記憶部２０００ｃには、個人コンテンツ管理ＤＢ２００１ｃ，２００２ｃが構築されている。個人コンテンツ管理ＤＢ２００１ｂ，２００１ｃ、及び、共用コンテンツ管理ＤＢ２００２ｂ，２００２ｃは、それぞれ個人コンテンツ管理ＤＢ２００１ａ、及び共用コンテンツ管理ＤＢ２００２ａと同様のデータ構造であるため、説明を省略する。
【００４７】
＜＜共用端末の機能構成＞＞
続いて、共用端末４の機能構成について説明する。図３に示されているように、共用端末４は、送受信部４１、受付部４２、画像処理部４３、表示制御部４４、判断部４５、記憶・読出処理部４９、及び通信管理部５０を有している。これら各部は、図２に示されている各構成要素のいずれかが、ＨＤ４０４からＲＡＭ４０３上に展開されたプログラムに従ったＣＰＵ４０１からの命令によって動作することで実現される機能、又は機能する手段である。また、共用端末４は、図２に示されているＲＡＭ４０３及びＨＤ４０４によって構築される記憶部４０００を有している。共用端末４における、送受信部４１、受付部４２、画像処理部４３、表示制御部４４、判断部４５、記憶・読出処理部４９、通信管理部５０、及び記憶部４０００は、それぞれ、個人端末２ａにおける、送受信部２１ａ、受付部２２ａ、画像処理部２３ａ、表示制御部２４ａ、判断部２５ａ、記憶・読出処理部２９ａ、通信管理部３０及び記憶部２０００ａと同様であるため、説明を省略する。更に、通信管理部３０は、送受信部５１、取込部５３、及び判断部５５を有しているが、それぞれ送受信部３１ａ、取込部３３ａ、及び判断部３５ａと同様の機能であるため、説明を省略する。
【００４８】
また、共用端末４の記憶部４０００には、共用コンテンツ管理ＤＢ４００２が構築されている。共用コンテンツ管理ＤＢ４００２は、個人端末２ａの共用コンテンツ管理ＤＢ２００２ａと同様のデータ構造であるため、説明を省略する。
【００４９】
なお、送受信部４１、受付部４２、画像処理部４３、表示制御部４４、判断部４５、及び記憶・読出処理部４９は、後述の操作表示領域を表示させるウェブブラウザ（のウェブアプリケーション）によって実現される。また、通信管理部５０は、専用の通信アプリケーションによって実現される。
【００５０】
＜＜コンテンツ管理サーバの機能構成＞＞
続いて、コンテンツ管理サーバ６の機能構成について説明する。図３に示されているように、コンテンツ管理サーバ６は、送受信部６１、画像処理部６３、作成部６４、判断部６５、及び記憶・読出処理部６９を有している。これら各部は、図２に示されている各構成要素のいずれかが、ＨＤ６０４からＲＡＭ６０３上に展開されたプログラムに従ったＣＰＵ６０１からの命令によって動作することで実現される機能、又は機能する手段である。また、コンテンツ管理サーバ６は、図２に示されているＲＡＭ６０３及びＨＤ６０４によって構築される記憶部６０００を有している。
【００５１】
（各機能構成）
次に、コンテンツ管理サーバ６の各機能構成について詳細に説明する。
【００５２】
送受信部６１は、通信ネットワーク９を介して、他の端末、装置又はサーバ等と各種データ（または情報）の送受信を行う。
【００５３】
画像処理部６３は、取込部としての機能を有し、例えば、後述の共用電子キャンパスｃｃに対する画面キャプチャを行うことで、画面の画像データを取り込む。
【００５４】
作成部６４は、固有のコンテンツＩＤ等を作成する。
【００５５】
判断部６５は、送受信部６１によってコンテンツＩＤが受信されたか否か等の判断を行う。
【００５６】
記憶・読出部６９は、図２に示されているＣＰＵ６０１からの命令、並びに、ＨＤＤコントローラ６０５、メディアＩ／Ｆ６０７、及びＣＤ−ＲＷドライブ６１４によって実行され、記憶部６０００、記録メディア６０６、及びＣＤ−ＲＷ６１３に各種データを記憶したり、記憶部６０００、記録メディア６０６、及びＣＤ−ＲＷ６１３から各種データを読み出したりする処理を行う。
【００５７】
また、コンテンツ管理サーバ６の記憶部６０００には、個人コンテンツ管理ＤＢ６００１、及び共用コンテンツ管理ＤＢ６００２が構築されている。個人コンテンツ管理ＤＢ６００１、及び共用コンテンツ管理ＤＢ６００２は、それぞれ個人コンテンツ管理ＤＢ２００１ａ、及び共用コンテンツ管理ＤＢ２００２ａと同様のデータ構造であるため、説明を省略する。
【００５８】
但し、個人コンテンツ管理ＤＢ６００１は、個人コンテンツ管理ＤＢ２００１ａ，２００１ｂ，２００１ｃの全てデータを有している。また、共用コンテンツ管理ＤＢ６００２は、共用コンテンツ管理ＤＢ２００２ａ，２００２ｂ，２００２ｃ及び共用コンテンツ管理ＤＢ４００２の全てデータを有している。
【００５９】
なお、上記各プログラムは、ＣＤ−ＲやＤＶＤ−Ｒ等の記録媒体に記録されて、国内又は海外に流通するようにしてもよい。
【００６０】
＜操作表示領域の表示例＞
続いて、図５乃至図７を用いて、各操作表示領域の表示例について説明する。なお、操作表示領域は、GUI(Graphical User Interface)によって、利用者に提示するための情報を表示したり、利用者から操作を受け付けたりするための画面上の領域であり、ウェブブラウザやアプリケーションソフトウェアの表示形態である。操作表示領域としては、例えば、Microsoft Windows(登録商標)等が該当する。操作表示領域１１０は、無限の個人電子キャンパスｄｃにおける任意の領域を表わしている。操作表示領域１２０は、無限の共用電子キャンパスｃｃにおける任意の領域を表わしている。
【００６１】
図５は、個人電子キャンパス表示用の操作表示領域の表示例を示した図である。図５に示されているように、個人電子キャンパス表示用の操作表示領域１１０は、上部の３つのタブのうち、利用者によって「個人電子キャンパス」のタブｔ１が選択されることで表示されている。
【００６２】
また、操作表示領域１１０の左側には、画面移動、描画ペン等の各種機能アイコンからなる機能アイコン部ｆ１０が表示されている。操作表示領域１１０の左下側には、表示される文字等の縮小又は拡大を段階的に指定するためのスライドバーｒｅ１が表示されている。更に、操作表示領域１１０の右下側には、キャプチャボタンｃ１、アップロード用共有ボタンｓｕ１、ダウンロード用共有ボタンｓｄ１、マイナスボタンｒ１、及びプラスボタンｅ１が表示されている。
【００６３】
これらのうち、キャプチャボタンｃ１は、取込部３３ｃが共有電子スクリーン用の操作表示領域に表示する（又は表示した）画面をキャプチャして、この個人電子キャンパス用の操作表示領域１１０に取り込んで表示させるためのボタンである。即ち、共有電子スクリーン用の操作表示領域の画面のキャプチャの開始は、画像データを取り込む側である個人電子キャンパス用の操作表示領域１１０のボタンの押下によって行う。なお、ここでは、キャプチャボタンｃ１は、カメラの形状を示すアイコンで示されている。
【００６４】
アップロード用共有ボタンｓｕ１は、個人端末２のディスプレイ２０８に表示されている全体画面の画像データを、コンテンツ管理サーバ６にアップロードして、共有電子スクリーンｓｓに展開するためのボタンである。ダウンロード用共有ボタンｓｄ１は、共有電子スクリーンｓｓに展開されている画像データを、コンテンツ管理サーバ６からダウンロードして、この個人電子キャンパス用の操作表示領域１１０上に表示させるためのボタンである。マイナスボタンｒ１は、ディスプレイに対する操作表示領域１１０の占める割合を小さくするためのボタンである。プラスボタンｅ１は、ディスプレイに対する操作表示領域１１０の占める割合を大きくするためのボタンである。
【００６５】
図６は、共用電子キャンパス表示用の操作表示領域の表示例を示した図である。図６に示されているように、共用電子キャンパス表示用の操作表示領域１２０は、上部の３つのタブのうち、利用者によって「共用電子キャンパス」のタブｔ２が選択されることで表示されている。
【００６６】
また、操作表示領域１２０の左側には、画面移動、描画ペン等の各種機能アイコンからなる機能アイコン部ｆ２０が表示されている。操作表示領域１２０の左下側には、表示される文字等の縮小又は拡大を段階的に指定するためのスライドバーｒｅ２が表示されている。更に、操作表示領域１２０の右下側には、キャプチャボタンｃ１、アップロード用共有ボタンｓｕ１、ダウンロード用共有ボタンｓｄ１、マイナスボタンｒ１、及びプラスボタンｅ１が表示されている。
【００６７】
これらのうち、キャプチャボタンｃ２は、取込部３３ｃが共有電子スクリーン用の操作表示領域に表示する（又は表示した）画面をキャプチャして、この共用電子キャンパス用の操作表示領域１２０に取り込んで表示させるためのボタンである。即ち、共有電子スクリーン用の操作表示領域の画面のキャプチャの開始は、共画像データを取り込む側である用電子キャンパス用の操作表示領域１２０のボタンの押下によって行う。なお、ここでは、キャプチャボタンｃ２は、カメラの形状を示すアイコンで示されている。
【００６８】
アップロード用共有ボタンｓｕ２は、この共用電子キャンパス用の操作表示領域１２０に表示されている画面の画像データを、コンテンツ管理サーバ６にアップロードして、共有電子スクリーンｓｓに展開するためのボタンである。ダウンロード用共有ボタンｓｄ２は、共有電子スクリーンｓｓに展開されている画像データを、コンテンツ管理サーバ６からダウンロードして、この共用電子キャンパス用の操作表示領域１２０上に表示させるためのボタンである。なお、マイナスボタンｒ２、及びプラスボタンｅ２は、それぞれ、操作表示領域１１０における、機能アイコン部ｆ１０、スライドバーｒｅ１、マイナスボタンｒ１、及びプラスボタンｅ１と同様の役割を果たすため、説明を省略する。
【００６９】
図７は、共有電子スクリーン表示用の操作表示領域の表示例を示した図である。図７に示されているように、共有電子スクリーン表示用の操作表示領域１３０は、上部の３つのタブのうち、利用者によって「共有電子スクリーン」のタブｔ３が選択されることで表示されている。
【００７０】
また、操作表示領域１３０の下側には、キャプチャボタンｃ３、マイナスボタンｒ３、及びプラスボタンｅ３が表示されている。
【００７１】
これらのうち、キャプチャボタンｃ３は、共有電子スクリーン用の操作表示領域に表示された画面をキャプチャして、この共有電子キャンバス用の操作表示領域１２０に取り込んで表示させるためのボタンである。即ち、共有電子スクリーン用の操作表示領域の画面のキャプチャの開始が、画像データを取り込まれる側である共有電子スクリーン用の操作表示領域１３０のボタンの押下によって行われた場合には、取り込む側は共用電子キャンパス用の操作表示領域１２０となる。なお、ここでは、キャプチャボタンｃ３は、カメラの形状を示すアイコンで示されている。
【００７２】
＜処理又は動作＞
続いて、図８乃至図１６を用いて、本実施形態の処理又は動作について説明する。
【００７３】
（第１の処理又は動作の概略）
まずは、図８を用いて、利用者Ｃが個人端末２ｃで、個人電子キャンパス表示用の操作表示領域１１２ｃ上のキャプチャボタンｃ１の押下により、共有電子スクリーンｓｓのコンテンツを個人電子キャンパスｄｃ３にコピーする処理又は動作の概略について説明する。図８は、個人電子キャンパス表示用の操作表示領域上のキャプチャボタンの押下により、共有電子スクリーンのコンテンツを個人電子キャンパスに取り込む処理を示した概念図である。なお、操作表示領域１１２ｃは、無限の個人電子キャンパスｄｃ３における任意の領域を表わしている。
【００７４】
図８では、利用者Ａが個人端末２ａから共有電子スクリーンｓｓに個人端末２ａのディスプレイ２０８に表示されている全体画面の画像データを送信して、個人端末２ｂ，２ｃ及び共用端末４と画面共有した状態を示している。ここでは、全体画面の一例として、テキストデータ「ＲＩ」が入力されている画面が示されている。更に、図８では、利用者Ｃが個人端末２ｃで共有電子スクリーン用の操作表示領域１３２ｃ上に個人端末２ａによって共有されたコンテンツを表示した後、この共有されたコンテンツを利用者Ｃの個人電子キャンパス表示用の操作表示領域１１２ｃ上にコピーして取り込む状態を示している。
【００７５】
なお、本実施形態では、画面全体のコンテンツが特定のコンテンツの一例である。
【００７６】
まず、個人端末２ａでは、操作表示領域１１２ａ上にコンテンツ「ＲＩ」が表示され、この画面全体のコンテンツのデータをコンテンツ管理サーバ６の共有電子スクリーンｓｓに送信する（Ｓ１１）。これにより、コンテンツ管理サーバ６は、記憶部６０００における共有電子スクリーンｓｓ用の記憶領域に画面全体のコンテンツのデータを記憶する。なお、ステップＳ１１によって送信されるデータは、動画データでも静止画データでもよい。
【００７７】
次に、利用者Ｃは、個人端末２ｃで操作表示領域１３２ｃを表示させることで、コンテンツ管理サーバ６に対して、共有電子スクリーンｓｓのコンテンツのデータを要求する（Ｓ１２）。コンテンツ管理サーバ６は、個人端末２ｃに共有電子スクリーンｓｓの画面全体のコンテンツのデータを送信する（Ｓ１３）。これにより、個人端末２ｃでは、ウェブブラウザにより操作表示領域１３２ｃ上に画面全体のコンテンツが表示される。
【００７８】
また、個人端末２ｃでは、個人電子キャンパスｄｃ３の内容を表示させる操作表示領域１１２ｃが表示されている。
【００７９】
この前提状態で、利用者Ｃは、操作表示領域１３２ｃ上に表示されている画面全体のコンテンツを、自分の個人電子キャンパスｄｃ３にコピーするため、操作表示領域１１２ｃ上のキャプチャボタンｃ１を押下することで、操作表示領域１１２ｃとは異なる操作表示領域１３２ｃに対して画面キャプチャを行う（Ｓ１４）。なお、本実施形態では、操作表示領域１３２ｃが第１の操作表示領域の一例であり、操作表示領域１１２ｃが第２の操作表示領域の一例である。
【００８０】
次に、個人端末２ｃは、操作表示領域１１２ｃを表示させるウェブブラウザにより、コンテンツ管理サーバ６に対して、画面キャプチャされた画面全体のコンテンツのデータを送信する（Ｓ１５）。そして、コンテンツ管理サーバ６は、個人端末２ｃに画面全体のコンテンツのデータを送信する（Ｓ１６）。これにより、個人端末２ｃでは、ウェブブラウザにより操作表示領域１１２ｃに画面全体のコンテンツが表示される。
【００８１】
以上より、個人端末２ｃの利用者Ｃが自己の個人端末２ｃで操作表示領域１１２ｃ上のキャプチャボタンｃ１を押下することで、操作表示領域１１２ｃとは別の操作表示領域１３２ｃに表示されている画面を操作表示領域１１２ｃにコピーすることができる。
【００８２】
（第２の処理又は動作の概略）
続いて、図９を用いて、利用者Ｃが個人端末２ｃで、共用電子キャンパス表示用の操作表示領域１２２ｃ上のキャプチャボタンｃ２の押下により、共有電子スクリーンｓｓのコンテンツを共用電子キャンパスｃｃにコピーする処理又は動作の概略について説明する。図９は、共用電子キャンパス表示用の操作表示領域上のキャプチャボタンの押下により、共有電子スクリーンのコンテンツを共用電子キャンパスに取り込む処理を示した概念図である。なお、操作表示領域１２２ｃは、無限の共用電子キャンパスｃｃにおける任意の領域を表わしている。
【００８３】
図９では、利用者Ａが個人端末２ａから共有電子スクリーンｓｓにテキストデータ「ＲＩ」が入力されている画面全体のコンテンツのデータを送信して、個人端末２ｂ，２ｃ及び共用端末４と画面共有した状態を示している。更に、図９では、利用者Ｃが個人端末２ｃで共有電子スクリーン用の操作表示領域１３２ｃ上に個人端末２ａによって共有されたコンテンツを表示した後、この共有されたコンテンツを利用者Ｃの共用電子キャンパス表示用の操作表示領域１２２ｃ上にコピーして取り込む状態を示している。
【００８４】
なお、本実施形態では、画面全体のコンテンツが特定のコンテンツの一例である。また、共有電子スクリーンｓｓへのアクセス先（ＵＲＬ）である記憶部６０００上の記憶位置（記憶領域）が記憶部６０００における第１の位置の一例である。個人電子キャンパスｄｃ３へのアクセス先（ＵＲＬ）である記憶部６０００上の記憶位置（記憶領域）が記憶部６０００における第２の位置の一例である。
【００８５】
まず、個人端末２ａでは、操作表示領域１１２ａ上にコンテンツ「ＲＩ」が表示され、この画面全体のコンテンツのデータをコンテンツ管理サーバ６の共有電子スクリーンｓｓに送信する（Ｓ３１）。これにより、コンテンツ管理サーバ６は、記憶部６０００における共有電子スクリーンｓｓ用の記憶領域に画面全体のコンテンツのデータを記憶する。なお、ステップＳ３１によって送信されるデータは、動画データでも静止画データでもよい。
【００８６】
次に、利用者Ｃは、個人端末２ｃで操作表示領域１３２ｃを表示させることで、コンテンツ管理サーバ６に対して、共有電子スクリーンｓｓのコンテンツのデータを要求する（Ｓ３２）。コンテンツ管理サーバ６は、個人端末２ｃに共有電子スクリーンｓｓの画面全体のコンテンツのデータを送信する（Ｓ３３）。これにより、個人端末２ｃでは、ウェブブラウザにより操作表示領域１３２ｃ上に画面全体のコンテンツが表示される。ここまでは、上記ステップＳ１１〜Ｓ１３と同様の処理である。
【００８７】
また、個人端末２ｃでは、共用電子キャンパスｃｃの内容を表示させる操作表示領域１２２ｃが表示されている。
【００８８】
この前提状態で、利用者Ｃは、操作表示領域１３２ｃ上に表示されている画面全体のコンテンツを、共用電子キャンパスｃｃにコピーするため、操作表示領域１２２ｃ上のキャプチャボタンｃ２を押下することで、操作表示領域１２２ｃとは異なる操作表示領域１３２ｃに対して画面キャプチャを行う（Ｓ３４）。
【００８９】
次に、個人端末２ｃは、操作表示領域１２２ｃを表示させるウェブブラウザにより、コンテンツ管理サーバ６に対して、画面キャプチャされた画面全体のコンテンツのデータを送信する（Ｓ３５）。そして、コンテンツ管理サーバ６は、個人端末２ｃに画面全体のコンテンツのデータを送信する（Ｓ３６）。これにより、個人端末２ｃでは、ウェブブラウザにより操作表示領域１２２ｃに画面全体のコンテンツが表示される。
【００９０】
以上より、個人端末２ｃの利用者Ｃが自己の個人端末２ｃで操作表示領域１２２ｃ上のキャプチャボタンｃ２を押下することで、操作表示領域１２２ｃとは別の操作表示領域１３２ｃに表示されている画面を操作表示領域１２２ｃにコピーすることができる。
【００９１】
（第３の処理又は動作の概略）
続いて、図１０を用いて、利用者Ｃが個人端末２ｃで、共有電子スクリーン表示用の操作表示領域１３２ｃ上のキャプチャボタンｃ３の押下により、共有電子スクリーンｓｓのコンテンツを共用電子キャンパスｃｃにコピーする処理又は動作の概略について説明する。図１０は、共有電子スクリーン表示用の操作表示領域上のキャプチャボタンの押下により、この共有電子スクリーンのコンテンツを共用電子キャンパスに取り込む処理を示した概念図である。
【００９２】
図１０では、利用者Ａが個人端末２ａから共有電子スクリーンｓｓにテキストデータ「ＲＩ」が入力されている画面全体のコンテンツのデータを送信して、個人端末２ｂ，２ｃ及び共用端末４と画面共有した状態を示している。更に、図１０では、利用者Ｃが個人端末２ｃで共有電子スクリーン用の操作表示領域１３２ｃ上に個人端末２ａによって共有されたコンテンツを表示した後、この共有されたコンテンツを利用者Ｃの共用電子キャンパス表示用の操作表示領域１２２ｃ上にコピーして取り込む状態を示している。
【００９３】
まず、個人端末２ａでは、操作表示領域１１２ａ上にコンテンツ「ＲＩ」が表示され、この画面全体のコンテンツのデータをコンテンツ管理サーバ６の共有電子スクリーンｓｓに送信する（Ｓ５１）。これにより、コンテンツ管理サーバ６は、記憶部６０００における共有電子スクリーンｓｓ用の記憶領域に画面全体のコンテンツのデータを記憶する。なお、ステップＳ５１によって送信されるデータは、動画データでも静止画データでもよい。
【００９４】
次に、利用者Ｃは、個人端末２ｃで操作表示領域１３２ｃを表示させることで、コンテンツ管理サーバ６に対して、共有電子スクリーンｓｓのコンテンツのデータを要求する（Ｓ５２）。コンテンツ管理サーバ６は、個人端末２ｃに共有電子スクリーンｓｓの画面全体のコンテンツのデータを送信する（Ｓ５３）。これにより、個人端末２ｃでは、ウェブブラウザにより操作表示領域１３２ｃ上に画面全体のコンテンツが表示される。ここまでは、上記ステップＳ１１〜Ｓ１３（Ｓ３１〜Ｓ３３）と同様の処理である。
【００９５】
また、個人端末２ｃでは、共用電子キャンパスｃｃの内容を表示させる操作表示領域１２２ｃが表示されている。
【００９６】
この前提状態で、利用者Ｃは、操作表示領域１３２ｃ上に表示されている画面全体のコンテンツを、共用電子キャンパスｃｃにコピーするため、操作表示領域１３２ｃ上のキャプチャボタンｃ３を押下することで、この同じ操作表示領域１３２ｃに対して画面キャプチャを行う（Ｓ５４）。
【００９７】
次に、個人端末２ｃは、操作表示領域１２２ｃを表示させるウェブブラウザにより、コンテンツ管理サーバ６に対して、画面キャプチャされた画面全体のコンテンツのデータを送信する（Ｓ５５）。そして、コンテンツ管理サーバ６は、個人端末２ｃに画面全体のコンテンツのデータを送信する（Ｓ６６）。これにより、個人端末２ｃでは、ウェブブラウザにより操作表示領域１２２ｃに画面全体のコンテンツが表示される。
【００９８】
以上より、個人端末２ｃの利用者Ｃが自己の個人端末２ｃで操作表示領域１３２ｃ上のキャプチャボタンｃ３を押下することで、この操作表示領域１３２ｃに表示されている画面を操作表示領域１２２ｃにコピーすることができる。
【００９９】
（基本的な処理又は動作の詳細）
続いて、図１１乃至図１９を用いて、基本的な処理又は動作について詳細に説明する。図１１は、コンテンツの入力及び表示の処理を示したシーケンス図である。まず、共有電子スクリーン用の操作表示領域１３２ｃからコンテンツをコピーする処理を説明する前に、ウェブブラウザを利用して個人電子キャンパス用の操作表示領域（ここでは、個人端末２ｃの操作表示領域１１２ｃ）に、文字等の画面要素（画面全体ではない）のコンテンツを表示させる基本的な処理について説明する。
【０１００】
まず、利用者Ｃが個人端末２ｃで、キーボード２１１及びマウス２１２によって操作表示画面１１２ｃ上の所望の位置に、画面要素（文字等）のコンテンツを入力すると、受付部２２ｃが入力を受け付ける（Ｓ７１）。そして、送受信部２１ｃは、コンテンツ管理サーバ６に対して、画面要素のコンテンツのデータ、及び個人電子キャンパスｄｃ３におけるコンテンツの表示位置を示す表示位置情報ｐ０を送信する（Ｓ７２）。これにより、コンテンツ管理サーバ６の送受信部６１は、コンテンツのデータ及び表示位置情報ｐ０を受信する。
【０１０１】
次に、コンテンツ管理サーバ６では、記憶・読出処理部６９が、個人コンテンツ管理ＤＢ６００１における個人電子キャンパスｄｃ３のＵＲＬが管理されている個人コンテンツ管理テーブルに、コンテンツのデータ及び表示位置情報ｐ０を関連付けて記憶する（Ｓ７３）。そして、作成部６３は、固有のコンテンツＩＤ１０を作成する（Ｓ７４）。
【０１０２】
次に、記憶・読出処理部６９が、ステップＳ７３で記憶したコンテンツデータ及び表示位置情報ｐ０に対して、ステップＳ７４で作成されたコンテンツＩＤ１０を関連付けて記憶する（Ｓ７５）。
【０１０３】
次に、送受信部６１は、個人端末２ｃに対して、個人電子キャンパスを更新する旨の通知である更新通知を送信する（Ｓ７６）。なお、利用者Ｃが複数の個人端末を有し、それぞれから同じ個人電子キャンパス（ＵＲＬ）にアクセスしている場合には、コンテンツ管理サーバ６は、利用者Ｃの複数の個人端末に対して更新通知を送信する。これにより、個人端末２ｃの操作表示領域１１２ｃを表示させるウェブブラウザにおいて、送受信部２１ｃが更新通知を受信する。
【０１０４】
次に、個人端末２ｃの操作表示領域１１２ｃを表示しているウェブブラウザにおいて、送受信部２１ｃが、コンテンツ管理サーバ６に対して、更新されたコンテンツデータ及び表示位置情報の要求を送信する（Ｓ７７）。これにより、コンテンツ管理サーバ６の送受信部６１は、コンテンツデータ及び表示位置情報の要求を受信する。
【０１０５】
次に、コンテンツ管理サーバ６では、記憶・読出処理部６９が、個人コンテンツ管理ＤＢ６００１における個人電子キャンパスｄｃ３用の個人コンテンツ管理テーブルから、更新されたコンテンツに係るコンテンツＩＤ１０、コンテンツのデータ及び表示位置情報ｐ０を読み出す（Ｓ７８）。そして、送受信部６１は、個人端末２ｃに対して、コンテンツＩＤ１０、コンテンツのデータ、表示位置情報ｐ０を送信する（Ｓ７９）。これにより、個人端末２ｃのウェブブラウザにおいて、送受信部２１ｃが、コンテンツＩＤ１０、コンテンツのデータ、表示位置情報ｐ０を受信する。
【０１０６】
次に、個人端末２ｃでは、記憶・読出処理部２９ｃが、個人コンテンツ管理ＤＢ２００１ｃに対して、ステップＳ７９で受信された、コンテンツＩＤ１０、コンテンツのデータ、及び表示位置情報ｐ０を関連付けて記憶する（Ｓ８０）。これにより、個人端末２ｃのウェブブラウザにおいて、表示制御部２４ｃは、操作表示領域１１２ｃ上に画面要素（文字等）であるコンテンツを表示させるように更新する（Ｓ８１）。
【０１０７】
以上より、コンテンツの入力及び表示の処理が終了する。
【０１０８】
（第１の処理又は動作の詳細）
続いて、図１２乃至図１４を用いて、図８に示されている第１の処理又は動作を詳細に説明する。ここでは、個人端末２ｃで上記前提状態より後の処理（Ｓ１４）から詳細に説明する。
【０１０９】
まず、利用者Ｃが個人端末２ｃで、操作表示領域１１２ｃのキャプチャボタンｃ１を押下すると、個人端末２ｃにおけるウェブブラウザ（のウェブアプリ）によって、受付部２２ｃが画面キャプチャの処理を受け付ける（Ｓ１１１）。この画面キャプチャの処理は、第１の操作表示領域に表示されたコンテンツを、第２の操作表示領域に表示させる処理の一例である。これにより、受付部２２ｃは、通信管理部３０ｃに対して、画面キャプチャの要求を行う（Ｓ１１２）。この要求には、共有電子スクリーンｓｓのＵＲＬが含まれている。これにより、通信管理部３０ｃが、画面キャプチャの要求を受け付ける。
【０１１０】
次に、通信管理部３０ｃは、画面キャプチャ処理を行う（Ｓ１１３）。ここで、図１３を用いて、画面キャプチャ処理について詳細に説明する。
【０１１１】
まず、通信管理部３０ｃの判断部３５ｃは、共有電子スクリーン用の操作表示領域が表示されているか否かを判断する（Ｓ１０１）。そして、判断部３５ｃが表示されていると判断した場合には、通信管理部３０ｃの取込部３３ｃは、操作表示領域１３２ｃの画面キャプチャを行うことで画面の画像データを取り込む（Ｓ１０２）。一方、ステップＳ１０１において、判断部３５ｃが表示されていないと判断した場合には、ステップＳ１１４〜Ｓ１１６の処理が実行される。即ち、図１２において、通信管理部３０ｃの送受信部３１ｃは、コンテンツ管理サーバ６に対して、共有電子スクリーンｓｓのコンテンツのデータの要求を示す要求情報を送信する（Ｓ１１４）。これにより、コンテンツ管理サーバ６の送受信部６１は、要求情報を受信する。なお、ステップＳ１０１において、共有電子スクリーン用の操作表示領域が表示されていない場合であっても、既に個人端末２ｃが別のタブｔ２として共有電子スクリーン用表示領域を開いている場合には、判断部３５ｃは表示されていると判断する。また、ステップＳ１０２において、共有スクリーン用の操作表示領域が表示されていない場合であっても、すでに個人端末２ｃが別のタブｔ２として共有電子スクリーン用表示領域を開いている場合には、取込部３３ｃはキャプチャボタンが押下された個人電子キャンパスに対応する共有スクリーンのＵＲＬ等の共有スクリーンを特定する情報に基づいて、共有スクリーンに表示される画面を、コンテンツ管理サーバ６から受信し、取り込む。
【０１１２】
そして、コンテンツ管理サーバ６では、記憶・読出処理部６９が、記憶部６０００において、ステップＳ１１１でキャプチャボタンｃ１が押下された操作表示領域１１２ｃを利用して参加している仮想ルームと同じ仮想ルームにおける共有電子スクリーンｓｓ用の記憶位置（記憶領域）からコンテンツのデータを読み出す（Ｓ１１５）。そして、コンテンツ管理サーバ６の送受信部６１は、記憶・読出処理部６９から読み出されたコンテンツのデータを、個人端末２ｃの通信管理部３０ｃに送信する（Ｓ１１６）。これにより、通信管理部３０ｃの送受信部３１ｃがコンテンツのデータを受信する。
【０１１３】
続いて、通信管理部３０ｃは、操作表示領域１１２ｃを表示しているウェブブラウザにより実現される送受信部２１ｃに対して、画面キャプチャ画像のコンテンツのデータを出力する（Ｓ１１７）。これにより、送受信部２１ｃは、画面キャプチャ画像のコンテンツのデータを入力する。
【０１１４】
そして、送受信部２１ｃは、コンテンツ管理サーバ６に対して、コンテンツ記憶要求を送信する（Ｓ１１８）。このコンテンツ記憶要求には、画面キャプチャ画像のコンテンツのデータが含まれている。これにより、コンテンツ管理サーバの送受信部６１は、コンテンツ記憶要求及び画面キャプチャ画像のコンテンツのデータを受信する。なお、このコンテンツ記憶要求は、例えば、ＨＴＴＰリクエストである。
【０１１５】
次に、コンテンツ管理サーバ６は、コンテンツのデータの記憶処理を行う（Ｓ１２０）。ここで、図１４を用いて、コンテンツのデータの記憶処理について詳細に説明する。図１４は、コンテンツのデータの記憶処理を示すシーケンス図である。
【０１１６】
図１４に示されているように、コンテンツ管理サーバ６の判断部６５は、キャプチャボタンｃ１，ｃ２，ｃ３のうち、どのキャプチャボタンが押下されたかを判断する（ステップＳ９０）。具体的には、判断部６５は、通信セッションが確立されている操作表示領域１１２ｃを表示させるウェブブラウザによってコンテンツのデータを受信した場合には、キャプチャボタンｃ１が押下されたと判断する。また、判断部６５は、通信セッションが確立されている操作表示領域１２２ｃを表示させるウェブブラウザによってコンテンツのデータを受信した場合には、キャプチャボタンｃ２が押下されたと判断する。更に、判断部６５は、通信セッションが確立されている操作表示領域１３２ｃを表示させるウェブブラウザによってコンテンツのデータを受信した場合には、キャプチャボタンｃ３が押下されたと判断する。
【０１１７】
図１２の処理の場合、判断部６５は、キャプチャボタンｃ１が押下されたと判断する。そして、記憶・読出処理部６９は、個人コンテンツ管理ＤＢ６００１にコンテンツのデータを記憶する（Ｓ９１）。そして、作成部６３は、固有のコンテンツＩＤ１１を作成する（Ｓ９２）。更に、作成部６３は、個人電子キャンパスｄｃ３における画面キャプチャ画像のコンテンツの表示位置を示す表示位置情報ｐ１を作成する（Ｓ９３）。個人電子キャンパスｄｃ３における画面キャプチャ画像の表示位置は任意であるが、既に画面キャプチャ画像が表示されている場合には、例えば、既に表示されている画面キャプチャ画像の下の位置となる。
【０１１８】
次に、記憶・読出処理部６９が、ステップＳ９１で記憶したコンテンツデータに対して、ステップＳ９２で作成されたコンテンツＩＤ、及びステップＳ９３で作成された表示位置情報ｐ１を関連付けて記憶する（Ｓ９４）。これにより、ステップＳ１２０の処理は終了する。
【０１１９】
次に、上記ステップＳ７６〜Ｓ８１と同様の処理が行われる。即ち、送受信部６１は、個人端末２ｃに対して、個人電子キャンパスを更新する旨の通知である更新通知を送信する（Ｓ１２１）。なお、利用者Ｃが複数の個人端末を有し、それぞれから同じ個人電子キャンパス（ＵＲＬ）にアクセスしている場合には、コンテンツ管理サーバ６は、利用者Ｃの複数の個人端末に対して更新通知を送信する。これにより、個人端末２ｃの操作表示領域１１２ｃを表示させるウェブブラウザにおいて、送受信部２１ｃが更新通知を受信する。
【０１２０】
次に、個人端末２ｃの操作表示領域１１２ｃを表示しているウェブブラウザにおいて、送受信部２１ｃが、コンテンツ管理サーバ６に対して、更新されたコンテンツデータ及び表示位置情報の要求を送信する（Ｓ１２２）。これにより、コンテンツ管理サーバ６の送受信部６１は、コンテンツデータ及び表示位置情報の要求を受信する。
【０１２１】
次に、コンテンツ管理サーバ６では、記憶・読出処理部６９が、個人コンテンツ管理ＤＢ６００１における個人電子キャンパスｄｃ３用の個人コンテンツ管理テーブルから、更新されたコンテンツに係るコンテンツＩＤ１１、コンテンツのデータ及び表示位置情報ｐ１を読み出す（Ｓ１２３）。そして、送受信部６１は、個人端末２ｃに対して、コンテンツＩＤ１１、コンテンツのデータ、表示位置情報ｐ１を送信する（Ｓ１２４）。これにより、個人端末２ｃのウェブブラウザにおいて、送受信部２１ｃが、コンテンツＩＤ１１、コンテンツのデータ、表示位置情報ｐ１を受信する。
【０１２２】
次に、個人端末２ｃでは、記憶・読出処理部２９ｃが、個人コンテンツ管理ＤＢ２００１ｃに対して、ステップＳ１２４で受信された、コンテンツＩＤ１１、コンテンツのデータ、及び表示位置情報ｐ１を関連付けて記憶する（Ｓ１２５）。これにより、個人端末２ｃのウェブブラウザにおいて、表示制御部２４ｃは、操作表示領域１１２ｃ上に画面キャプチャ画像（画面全体）であるコンテンツを表示させるように更新する（Ｓ１２６）。
【０１２３】
以上より、共有電子スクリーン用の操作表示領域１３２ｃに表示された又は表示される全体画像をキャプチャして、個人電子キャンパス用の操作表示領域１１２ｃに表示させることで、利用者Ｃが共有画像を個人画像として取り込むことができる。
【０１２４】
（第２の処理又は動作の詳細）
続いて、図１５を用いて、図９に示されている第２の処理又は動作を詳細に説明する。ここでは、個人端末２ｃで上記前提状態より後の処理（Ｓ３４）から詳細に説明する。なお、第２の処理又は動作は、基本的に第１の処理又は動作と同様であり、操作表示領域１１２ｃ上の操作が操作表示領域１２２ｃ上の操作に置き換わった点が異なる。
【０１２５】
即ち、まず、利用者Ｃが個人端末２ｃで、操作表示領域１２２ｃのキャプチャボタンｃ２を押下すると、個人端末２ｃにおけるウェブブラウザ（のウェブアプリ）によって、受付部２２ｃが画面キャプチャの処理を受け付ける（Ｓ１３１）。これにより、受付部２２ｃは、通信管理部３０ｃに対して、画面キャプチャの要求を行う（Ｓ１３２）。この要求には、共有電子スクリーンｓｓのＵＲＬが含まれている。これにより、通信管理部３０ｃが、画面キャプチャの要求を受け付ける。
【０１２６】
次に、通信管理部３０ｃは、画面キャプチャ処理を行う（Ｓ１３３）。この処理は、図１３で示した処理と同様であるため、その説明を省略する。なお、図１５において、ステップＳ１３４〜Ｓ１３６の処理は、上記ステップ１１４〜Ｓ１１６の処理と同様である。
【０１２７】
続いて、通信管理部３０ｃは、操作表示領域１２２ｃを表示しているウェブブラウザにより実現される送受信部２１ｃに対して、画面キャプチャ画像のコンテンツのデータを出力する（Ｓ１３７）。これにより、送受信部２１ｃは、画面キャプチャ画像のコンテンツのデータを入力する。
【０１２８】
そして、送受信部２１ｃは、コンテンツ管理サーバ６に対して、コンテンツ記憶要求を送信する（Ｓ１３８）。このコンテンツ記憶要求には、画面キャプチャ画像のコンテンツのデータが含まれている。これにより、コンテンツ管理サーバの送受信部６１は、コンテンツ記憶要求及び画面キャプチャ画像のコンテンツのデータを受信する。なお、このコンテンツ記憶要求は、例えば、ＨＴＴＰリクエストである。
【０１２９】
次に、コンテンツ管理サーバ６は、コンテンツのデータの記憶処理を行う（Ｓ１４０）。ここで、図１４を用いて、コンテンツのデータの記憶処理について詳細に説明する。
【０１３０】
ステップＳ９０において、図１５の処理の場合、判断部６５は、キャプチャボタンｃ１，ｃ２，ｃ３のうち、キャプチャボタンｃ２が押下されたと判断する。そして、記憶・読出処理部６９は、共用コンテンツ管理ＤＢ６００２にコンテンツのデータを記憶する（Ｓ９５）。そして、作成部６３は、固有のコンテンツＩＤ１２を作成する（Ｓ９６）。更に、作成部６３は、共用電子キャンパスｃｃにおける画面キャプチャ画像のコンテンツの表示位置を示す表示位置情報ｐ２を作成する（Ｓ９７）。共用電子キャンパスｃｃにおける画面キャプチャ画像の表示位置は任意であるが、既に画面キャプチャ画像が表示されている場合には、例えば、既に表示されている画面キャプチャ画像の下の位置となる。
【０１３１】
次に、記憶・読出処理部６９が、ステップＳ９５で記憶したコンテンツデータに対して、ステップＳ９６で作成されたコンテンツＩＤ、及びステップＳ９７で作成された表示位置情報ｐ２を関連付けて記憶する。これにより、ステップＳ１４０の処理は終了する。
【０１３２】
次に、上記ステップＳ７６〜Ｓ８１（Ｓ１２１〜Ｓ１２６）と同様の処理が行われる。即ち、送受信部６１は、個人端末２ｃに対して、共用電子キャンパスを更新する旨の通知である更新通知を送信する（Ｓ１４１）。なお、複数の個人端末から同じ共用電子キャンパス（ＵＲＬ）にアクセスしている場合には、コンテンツ管理サーバ６は、各個人端末に対して更新通知を送信する。これにより、個人端末２ｃの操作表示領域１２２ｃを表示させるウェブブラウザにおいて、送受信部２１ｃが更新通知を受信する。
【０１３３】
次に、個人端末２ｃの操作表示領域１２２ｃを表示しているウェブブラウザにおいて、送受信部２１ｃが、コンテンツ管理サーバ６に対して、更新されたコンテンツデータ及び表示位置情報の要求を送信する（Ｓ１４２）。これにより、コンテンツ管理サーバ６の送受信部６１は、コンテンツデータ及び表示位置情報の要求を受信する。
【０１３４】
次に、コンテンツ管理サーバ６では、記憶・読出処理部６９が、共用コンテンツ管理ＤＢ６００２における共用電子キャンパスｃｃ用の共用コンテンツ管理テーブルから、更新されたコンテンツに係るコンテンツＩＤ１２、コンテンツのデータ及び表示位置情報ｐ２を読み出す（Ｓ１４３）。そして、送受信部６１は、個人端末２ｃに対して、コンテンツＩＤ１２、コンテンツのデータ、表示位置情報ｐ２を送信する（Ｓ１４４）。これにより、個人端末２ｃのウェブブラウザにおいて、送受信部２１ｃが、コンテンツＩＤ１２、コンテンツのデータ、表示位置情報ｐ２を受信する。
【０１３５】
次に、個人端末２ｃでは、記憶・読出処理部２９ｃが、共用コンテンツ管理ＤＢ２００２ｃに対して、ステップＳ１４４で受信された、コンテンツＩＤ１２、コンテンツのデータ、及び表示位置情報ｐ２を関連付けて記憶する（Ｓ１４５）。これにより、個人端末２ｃのウェブブラウザにおいて、表示制御部２４ｃは、操作表示領域１２２ｃ上に画面キャプチャ画像（画面全体）であるコンテンツを表示させるように更新する（Ｓ１４６）。
【０１３６】
以上より、共有電子スクリーン用の操作表示領域１３２ｃに表示された又は表示される全体画像をキャプチャして、共用電子キャンパス用の操作表示領域１２２ｃに表示させることで、利用者Ｃが共有画像を共用画像として取り込むことができる。
【０１３７】
（第３の処理又は動作の詳細）
続いて、図１６を用いて、図１０に示されている第３の処理又は動作を詳細に説明する。ここでは、個人端末２ｃでの上記処理（Ｓ５３）から詳細に説明する。
【０１３８】
まず、コンテンツ管理サーバ６の送受信部６１は、個人端末２ｃに対して、共有電子スクリーンｓｓの画面全体のコンテンツのデータを送信する（Ｓ１５１）。これにより、操作表示領域１３２ｃを表示させるウェブブラウザにおいて、送受信部２１ｃが画面全体のコンテンツのデータを受信する。そして、操作表示領域１３２ｃを表示させるウェブブラウザにおいて、表示制御部２４ｃが、操作表示領域１３２ｃ上に画面全体のコンテンツを表示させる（Ｓ１５２）。
【０１３９】
ここで、利用者Ｃが図７に示されているキャプチャボタンｃ３を押下すると、操作表示領域１３２ｃを表示させるウェブブラウザにおいて、受付部２２ｃが画面キャプチャを受け付ける（Ｓ１５３）。そして、この処理（Ｓ１５４）は、図１３で示した処理と同様であるため、その説明を省略する。但し、判断部２５ｃがステップＳ１０１の処理を行う。また、操作表示領域１３２ｃの画面キャプチャを行うことで画面の画像データを取り込む取込部の機能を有する画像処理部２３ａが、ステップＳ１０２の処理を行う。なお、ステップＳ１５２において、共有電子スクリーン用の操作表示領域が表示されているため、ステップＳ１０１おいて、判断部２５ｃは、表示されていると判断する（ＹＥＳ）。そして、ステップＳ１０２において、操作表示領域１３２ｃを表示させるウェブブラウザにおいて、画像処理部２３ｃが、自己の操作表示領域１３２ｃの画面キャプチャを行う。
【０１４０】
次に、操作表示領域１３２ｃを表示させるウェブブラウザにおいて、送受信部２１ｃは、コンテンツ管理サーバ６に対して、コンテンツ記憶要求を送信する（Ｓ１５５）。このコンテンツ記憶要求には、画面キャプチャ画像のコンテンツのデータが含まれている。これにより、コンテンツ管理サーバの送受信部６１は、コンテンツ記憶要求及び画面キャプチャ画像のコンテンツのデータを受信する。なお、このコンテンツ記憶要求は、例えば、ＨＴＴＰリクエストである。
【０１４１】
次に、コンテンツ管理サーバ６は、コンテンツのデータの記憶処理を行う（Ｓ１６０）。ここで、図１４を用いて、コンテンツのデータの記憶処理について詳細に説明する。
【０１４２】
ステップＳ９０において、図１６の処理の場合、判断部６５は、キャプチャボタンｃ１，ｃ２，ｃ３のうち、キャプチャボタンｃ３が押下されたと判断する。その後の処理は、ステップＳ９５〜Ｓ９８の処理と同様であるため、それらの説明を省略する。なお、ここでは、コンテンツＩＤ１２及び表示位置情報ｐ２が、それぞれコンテンツＩＤ１３及び表示位置情報ｐ３に置き換わる。
【０１４３】
次に、上記ステップＳ７６〜Ｓ８１（Ｓ１２１〜Ｓ１２６，Ｓ１４１〜Ｓ１４６）と同様の処理が行われる。即ち、送受信部６１は、個人端末２ｃの操作表示領域１２２ｃを表示させるウェブブラウザに対して、共用電子キャンパスを更新する旨の通知である更新通知を送信する（Ｓ１６１）。この場合、コンテンツ管理サーバ６は、遠隔会議に参加中の全ての個人端末２及び共用端末４に対して更新通知を送信する。これにより、個人端末２ｃの操作表示領域１２２ｃを表示させるウェブブラウザにおいて、送受信部２１ｃが更新通知を受信する。なお、第３の処理又は動作においては、第１の処理又は動作におけるステップＳ１１１のように、共有画面の画像を取り込む操作表示領域１１２ｃにおいて画面キャプチャの受け付けが行われているわけではない。そのため、コンテンツ管理サーバ６は、複数の個人電子キャンパスのうち、画面キャプチャの画像を取り込む操作表示領域１１２ｃ用の個人電子キャンパスｄｃ３を特定することができない。しかし、コンテンツ管理サーバ６は、１つの仮想のルームに存在する１つの共用電子キャンパスｃｃであれば特定することができるため、コンテンツ管理サーバ６の送受信部６１は、個人端末２ｃの操作表示領域１２２ｃを表示させるウェブブラウザに対して、共用電子キャンパスを更新する旨の通知である更新通知を送信する。
【０１４４】
次に、個人端末２ｃの操作表示領域１２２ｃを表示しているウェブブラウザにおいて、送受信部２１ｃが、コンテンツ管理サーバ６に対して、更新されたコンテンツデータ及び表示位置情報の要求を送信する（Ｓ１６２）。これにより、コンテンツ管理サーバ６の送受信部６１は、コンテンツデータ及び表示位置情報の要求を受信する。
【０１４５】
次に、コンテンツ管理サーバ６では、記憶・読出処理部６９が、個人コンテンツ管理ＤＢ６００２における共用電子キャンパスｃｃ用の共用コンテンツ管理テーブルから、更新されたコンテンツに係るコンテンツＩＤ１３、コンテンツのデータ及び表示位置情報ｐ３を読み出す（Ｓ１６３）。そして、送受信部６１は、個人端末２ｃに対して、コンテンツＩＤ１３、コンテンツのデータ、表示位置情報ｐ３を送信する（Ｓ１６４）。これにより、個人端末２ｃのウェブブラウザにおいて、送受信部２１ｃが、コンテンツＩＤ１３、コンテンツのデータ、表示位置情報ｐ３を受信する。
【０１４６】
次に、個人端末２ｃでは、記憶・読出処理部２９ｃが、共用コンテンツ管理ＤＢ２００２ｃに対して、ステップＳ１６４で受信された、コンテンツＩＤ１３、コンテンツのデータ、及び表示位置情報ｐ３を関連付けて記憶する（Ｓ１６５）。これにより、個人端末２ｃのウェブブラウザにおいて、表示制御部２４ｃは、操作表示領域１２２ｃ上に画面キャプチャ画像（画面全体）であるコンテンツを表示させるように更新する（Ｓ１６６）。
【０１４７】
以上より、共有電子スクリーン用の操作表示領域１３２ｃに表示された全体画像をキャプチャして、共用電子キャンパス用の操作表示領域１２２ｃに表示させることで、利用者Ｃが共有画像を共用画像として取り込むことができる。
【０１４８】
（実施形態の主な効果）
個人端末２ｃにおいて、利用者Ｃが、一方の操作表示領域１３２ｃから他方の操作表示領域１１２ｃ，１２２ｃに画面の画像（コンテンツ）を取り込む動作に時間を掛けていると、会議等の会話を聞き逃してしまう。通信ネットワークを介した遠隔会議等で会話を聞き逃してしまうと、再度、遠隔の相手に話してもらう場合、現実の会議室のようにスムーズに相手に伝えづらい。これに対して、本実施形態によれば、利用者Ｃは、キャプチャボタンｃ１、ｃ２、ｃ３を押下するだけで、画面の画像を取り込むことができる。これにより、会議等の会話を聞き逃してしまうという問題を解消することができる。
【０１４９】
特に、共有電子キャンパス及び個人電子キャンパスは共有電子スクリーンと予め対応づけられているため、利用者Ｃは共有電子スクリーンのURL等を指定する必要はなく、迅速に取り込みができる。
【０１５０】
これにより、複数の通信端末間のより便利なコンテンツの共有、異なる端末を使用する複数のユーザ間のより効率的なコミュニケーション及び連携を提供するというニーズに応えることができる。なお、本実施発明は、技術的な複雑さ及びコンピュータリソースの使用を抑制するような方法で提供されることが望ましい。
【０１５１】
〔第２の実施形態〕
続いて、図１７乃至図１９を用いて、第２の実施形態について説明する。本実施形態では、既に、個人端末２ｃに操作表示領域１３２ｃが表示されてコンテンツが表示されている状態についての処理又は動作を詳細に説明する。なお、本実施形態は、通信管理部３０ａ，３０ｂ，３０ｃ、及び通信管理部５０がない点、及び画面キャプチャの処理は個人端末２ｃ側で行うのではなくコンテンツ管理サーバ６側で行う点が、第１の実施形態と相違する。これら以外は、基本的に第１の実施形態のハードウェア構成及び機能構成と同様であるため、それらの説明を省略する。
【０１５２】
（第１の処理又は動作の詳細）
まず、図１７を用いて、図８に示されている第１の処理又は動作を詳細に説明する。ここでは、個人端末２ｃでの上記処理（Ｓ１３）から詳細に説明する。
【０１５３】
まず、コンテンツ管理サーバ６の送受信部６１は、個人端末２ｃに対して、共有電子スクリーンｓｓの画面全体のコンテンツのデータを送信する（Ｓ２１１）。これにより、操作表示領域１３２ｃを表示させるウェブブラウザにおいて、送受信部２１ｃが画面全体のコンテンツのデータを受信する。そして、操作表示領域１３２ｃを表示させるウェブブラウザにおいて、表示制御部２４ｃが、操作表示領域１３２ｃ上に画面全体のコンテンツを表示させる（Ｓ２１２）。
【０１５４】
ここで、利用者Ｃが図５に示されているキャプチャボタンｃ１を押下すると、操作表示領域１１２ｃを表示させるウェブブラウザにおいて、受付部２２ｃが画面キャプチャを受け付ける（Ｓ２１３）。なお、上記ステップＳ２１１，Ｓ２１２の処理が行われなくても、ステップＳ２１３の処理が行われてもよい。
【０１５５】
次に、操作表示領域１１２ｃを表示させるウェブブラウザにおいて、送受信部２１ｃがコンテンツ管理サーバ６に対して、画面キャプチャの要求（情報）を送信する（Ｓ２１４）。これにより、コンテンツ管理サーバ６の送受信部６１は、画面キャプチャの要求を受信する。
【０１５６】
次に、コンテンツ管理システム６の画像処理部６３は、共有電子スクリーンｓｓの全体画面の画面キャプチャ処理を行う（Ｓ２１５）。
【０１５７】
以降、ステップＳ２２０〜Ｓ２２６の処理は、第１の実施形態のステップＳ１２０〜Ｓ１２６と同様の処理であるため、これらの説明を省略する。
【０１５８】
以上より、共有電子スクリーン用の操作表示領域１３２ｃに表示された全体画像を、コンテンツ管理サーバ６側でキャプチャして、個人電子キャンパス用の操作表示領域１１２ｃに表示させることで、利用者Ｃが共有画像を共用画像として取り込むことができる。
【０１５９】
（第２の処理又は動作の詳細）
続いて、図１８を用いて、図９に示されている第２の処理又は動作を詳細に説明する。ここでは、個人端末２ｃでの上記処理（Ｓ３３）から詳細に説明する。
【０１６０】
まず、コンテンツ管理サーバ６の送受信部６１は、個人端末２ｃに対して、共有電子スクリーンｓｓの画面全体のコンテンツのデータを送信する（Ｓ２３１）。これにより、操作表示領域１３２ｃを表示させるウェブブラウザにおいて、送受信部２１ｃが画面全体のコンテンツのデータを受信する。そして、操作表示領域１３２ｃを表示させるウェブブラウザにおいて、表示制御部２４ｃが、操作表示領域１３２ｃ上に画面全体のコンテンツを表示させる（Ｓ２３２）。
【０１６１】
ここで、利用者Ｃが図６に示されているキャプチャボタンｃ２を押下すると、操作表示領域１２２ｃを表示させるウェブブラウザにおいて、受付部２２ｃが画面キャプチャを受け付ける（Ｓ２３３）。
【０１６２】
次に、操作表示領域１２２ｃを表示させるウェブブラウザにおいて、送受信部２１ｃがコンテンツ管理サーバ６に対して、画面キャプチャの要求（情報）を送信する（Ｓ２３４）。これにより、コンテンツ管理サーバ６の送受信部６１は、画面キャプチャの要求を受信する。
【０１６３】
次に、コンテンツ管理システム６の画像処理部６３は、共有電子スクリーンｓｓの全体画面の画面キャプチャ処理を行う（Ｓ２３５）。
【０１６４】
以降、ステップＳ２４０〜Ｓ２４６の処理は、第１の実施形態のステップＳ１４０〜Ｓ１４６と同様の処理であるため、これらの説明を省略する。
【０１６５】
以上より、共有電子スクリーン用の操作表示領域１３２ｃに表示された全体画像を、コンテンツ管理サーバ６側でキャプチャして、共用電子キャンパス用の操作表示領域１２２ｃに表示させることで、利用者Ｃが共有画像を共用画像として取り込むことができる。
【０１６６】
（第３の処理又は動作の詳細）
続いて、図１９を用いて、図１０に示されている第３の処理又は動作を詳細に説明する。ここでは、個人端末２ｃでの上記処理（Ｓ５３）から詳細に説明する。
【０１６７】
まず、コンテンツ管理サーバ６の送受信部６１は、個人端末２ｃに対して、共有電子スクリーンｓｓの画面全体のコンテンツのデータを送信する（Ｓ２５１）。これにより、操作表示領域１３２ｃを表示させるウェブブラウザにおいて、送受信部２１ｃが画面全体のコンテンツのデータを受信する。そして、操作表示領域１３２ｃを表示させるウェブブラウザにおいて、表示制御部２４ｃが、操作表示領域１３２ｃ上に画面全体のコンテンツを表示させる（Ｓ２５２）。
【０１６８】
ここで、利用者Ｃが図７に示されているキャプチャボタンｃ３を押下すると、操作表示領域１３２ｃを表示させるウェブブラウザにおいて、受付部２２ｃが画面キャプチャを受け付ける（Ｓ２５３）。
【０１６９】
次に、操作表示領域１３２ｃを表示させるウェブブラウザにおいて、送受信部２１ｃがコンテンツ管理サーバ６に対して、画面キャプチャの要求（情報）を送信する（Ｓ２５４）。これにより、コンテンツ管理サーバ６の送受信部６１は、画面キャプチャの要求を受信する。
【０１７０】
次に、コンテンツ管理システム６の画像処理部６３は、共有電子スクリーンｓｓの全体画面の画面キャプチャ処理を行う（Ｓ２５５）。
【０１７１】
以降、ステップＳ２６０〜Ｓ２６６の処理は、第１の実施形態のステップＳ１６０〜Ｓ１６６と同様の処理であるため、これらの説明を省略する。
【０１７２】
以上より、共有電子スクリーン用の操作表示領域１３２ｃに表示された全体画像を、コンテンツ管理サーバ６側でキャプチャして、共用電子キャンパス用の操作表示領域１２２ｃに表示させることで、利用者Ｃが共有画像を共用画像として取り込むことができる。
【０１７３】
（実施形態の主な効果）
本実施形態によれば、上記第１の実施形態と同様の効果を奏する。更に、本実施形態では、第１の実施形態のように、個人端末２ｃからコンテンツ管理サーバ８に対して、画面キャプチャ画像のコンテンツデータを送信する（Ｓ１１８，Ｓ１３８，Ｓ１５５）ことはせずに、画面キャプチャの要求をすればよいため（Ｓ２１４，Ｓ２３４，Ｓ２５４）、画面キャプチャ画像のデータ量が大きい場合であっても、より迅速に取り込みを行うことができるという効果も奏する。
【０１７４】
〔その他の実施形態〕
以上、本発明を実施形態について説明したが、本発明はこうした実施形態に何等限定されるものではなく、本発明の要旨を逸脱しない範囲内において種々の変形及び置換を加えることができる。
【０１７５】
例えば、図２０を用いて、個人端末の画面表示の変形例１について説明する。図２０は、個人端末の画面表示の変形例１を示す図である。なお、ここでは、図８に示されている個人端末２ｃの画面表示の変形例について説明する。図２０に示されているように、個人端末２ｃのディスプレイ上には、図８と同じように、操作表示領域１１２ｃ，１３２ｃが表示されている。更に、図２０では、ディスプレイの右下に、表示制御部２４ｃによって、取込みボタンｒ１，ｒ２が表示されている。取込みボタンｒ１は、図５におけるキャプチャボタンｃ１と同じ役割を果たし、共有電子スクリーンｓｓ用の操作表示領域１３２ｃの画面の画像を、個人電子キャンパスｄｃ３用の操作表示領域１１２ｃに取り込む場合に押下されるボタンである。取込みボタンｒ２は、図６におけるキャプチャボタンｃ２と同じ役割を果たし、共有電子スクリーンｓｓ用の操作表示領域１３２ｃの画面の画像を、共用電子キャンパスｃｃ用の操作表示領域１２２ｃに取り込む場合に押下されるボタンである。このように、取込みボタンｒ１，ｒ２は、各操作表示領域１１２ｃ，１３２ｃ外に表示されている。
【０１７６】
また、図２１を用いて、個人端末の画面表示の変形例２について説明する。図２１は、個人端末の画面表示の変形例２を示す図である。なお、ここでは、図８に示されている個人端末２ｃの画面表示の変形例について説明する。図２１に示されているように、個人端末２ｃのディスプレイ全体に、１つの操作表示領域１１２ｃ１が表示されている。更に、操作表示領域１１２ｃ１は、２つの操作表示領域１１２ｃ２，１１２ｃ３に分かれている。左側の操作表示領域１１２ｃ２には、共有電子スクリーンｓｓのコンテンツが表示される。右側の操作表示領域１１２ｃ３には、共有電子スクリーンｓｓのコンテンツがキャプチャされた場合のコンテンツが表示される。キャプチャされたコンテンツは、操作表示領域１１２ｃ３において、上から下に掛けて表示される。図２１では、最初にキャプチャされることで得られたコンテンツｃ１１が表示され、次にキャプチャされることで得られたコンテンツｃ１２が表示される。なお、操作表示領域１１２ｃ２，１１２ｃ３の位置関係は、図２１に示されている場合に限るものではない。例えば、左右が逆でもよいし、操作表示領域１１２ｃ２が上側で操作表示領域１１２ｃ３が下側、又は、操作表示領域１１２ｃ３が下側で操作表示領域１１２ｃ２が上側でもよい。
【０１７７】
上記各実施形態では、キャプチャボタンｃ１、ｃ２、ｃ３は、カメラの形状を示すアイコンで示されているが、これらは、「受付情報」の一例である。受付情報は、アイコンのような画像だけでなく、「キャプチャ」等の文字や矢印、又はアイコンと文字等の組み合わせたものであってもよい。
【０１７８】
また、本実施形態ではＨＴＭＬのＣａｎｖａｓ要素を使用して説明したが、ＷｅｂＧＬ、ＳＶＧ（Scalable Vector Graphics）、ＦＬＡＳＨ（登録商標）等をしようしてもよい。
【０１７９】
また、上記実施形態では、１つのウェブブラウザによって、２つの操作表示領域が表示されているが、２つのウェブブラウザ（第１のウェブブラウザ、第２のウェブブラウザ）が、それぞれ操作表示領域（第１の操作表示領域、第２の操作表示領域）を表示させるようにしてもよい。また、２つの操作表示領域ではなく、３つ以上のウェブブラウザがそれぞれ操作表示領域（この場合、操作表示領域も３つ以上）を表示するようにしてもよい。更に、１つのウェブブラウザが、３つ以上の操作表示領域を表示するようにしてもよい。
【０１８０】
上記各実施形態では、個人電子キャンパス及び共用電子キャンパスは、無限の電子キャンパスとして説明したが、これに限らず有限の電子キャンパスであってもよい。
【０１８１】
また、個人電子キャンパスは、個人端末２のディスプレイ２０８の表示可能範囲内で表示される限定的な有限の電子キャンパスであってもよい。同じく、共用電子キャンパスは、共用端末４のディスプレイ４０８の表示可能範囲内で表示される限定的な有限の電子キャンパスであってもよい。
【０１８２】
上記各実施形態では、個人端末２及び共用端末４と、コンテンツ管理サーバ６との通信経路間に、他の端末又は他のサーバがデータ（又は情報）を中継することが開示されていないが、他の端末又は他のサーバがデータ（又は情報）を中継してもよい。
【０１８３】
なお、図１において、共用端末４及び共用電子キャンパスｃｃは、無くてもよい。
【０１８４】
また、上記各実施形態では、複数のユーザが遠隔会議を行う例について説明したが、遠隔会議以外でも、本開示は、複数の拠点又は同じ拠点にいる複数の人が、ネットワークを介して仮想のルーム内でコミュニケーションを行う様々なイベントに適用できる。様々なイベントとは、たとえば、離れた場所又は同じ場所にいるベンダ−とクライアントとの商談や、離れた場所にある複数の会場で行われる展示会などである。
【０１８５】
更に、上記で説明した実施形態の各機能（図３参照）は、一又は複数の処理回路によって実現することが可能である。ここで、「処理回路」とは、電子回路により実装されるプロセッサのようにソフトウェアによって各機能を実行するようプログラミングされたプロセッサや、上記で説明した各機能を実行するよう設計されたASIC（Application Specific Integrated Circuit）、DSP（digital signal processor）、FPGA（field programmable gate array）や従来の回路モジュール等のデバイスを含むものとする。
【０１８６】
なお、上記コンテンツ記憶要求（Ｓ１１８、Ｓ１３８、Ｓ１５５参照）及び画面キャプチャ要求（Ｓ２１４、Ｓ２３４、Ｓ２５４）は、コンテンツに関する要求の一例である。また、各通信端末は、コンテンツ記憶要求（Ｓ１１８、Ｓ１３８、Ｓ１５５参照）の送信をせずに、画面キャプチャ画像のコンテンツのデータを送信してもよい。この場合、コンテンツ管理サーバ６は、画面キャプチャ画像のコンテンツのデータを受信した場合は、このデータを記憶するように予め設定されている。
【０１８７】
更に、なお、本実施形態では、操作表示領域１３２ｃが第１の操作表示領域の一例であり、が第２の操作表示領域の一例である。
【０１８８】
第２の操作表示領域（操作表示領域１１２ｃ等）に表示される画像は、第１の操作表示領域（操作表示領域１３２ｃ等）に表示されている画像そのものでなくてもよく、画面キャプチャ画像の背景色を変更したり、キャプチャをしたことを示すアイコン（又は文字）を追加表示したり、画面キャプチャ画像からツールバーを削除する、画面キャプチャ画像の一部をマスクする（又は色彩を変える等）でもよい。
【符号の説明】
【０１８９】
２ａ、２ｂ、２ｃ  個人端末（通信端末の一例）
４  共用端末（通信端末の一例）
６  コンテンツ管理サーバ
２１ａ、２１ｂ、２１ｃ  送受信部（送信手段の一例、受信手段の一例）
２２ａ、２２ｂ、２２ｃ  受付部  （受付手段の一例）
２３ａ、２３ｂ、２３ｃ  画像処理部（取込手段の一例）
２４ａ、２４ｂ、２４ｂ  表示制御部（表示制御手段の一例）
２５ａ、２５ｂ、２５ｃ  判断部
２９ａ、２９ｂ、２９ｃ  記憶・読出処理部
３０ａ、３０ｂ、３０ｃ  通信管理部
３１ａ、３１ｂ、３１ｃ  送受信部
３３ａ、３３ｂ、３３ｃ  取込部（取込手段の一例）
３５ａ、３５ｂ、３５ｃ  判断部（判断手段の一例）
４１  送受信部（送信手段の一例、受信手段の一例）
４２  受付部
４３  画像処理部（取込手段の一例）
４４  表示制御部
４５  判断部
４９  記憶・読出処理部
５０  通信管理部
５１  送受信部
５３  取込部（取込手段の一例）
５５  判断部（判断手段の一例）
６１  送受信部
６３  画像処理部
６４  作成部
６５  判断部
６９  記憶・読出処理部
２０００  記憶部
２００１  個人コンテンツ管理ＤＢ
２００２  共用コンテンツ管理ＤＢ
４０００  記憶部
４００２  共用コンテンツ管理ＤＢ
６０００  記憶部
６００１  個人コンテンツ管理ＤＢ
６００２  共用コンテンツ管理ＤＢ
【先行技術文献】
【特許文献】
【０１９０】
【特許文献１】特開２０１４−２２９８５号公報
【図１】
2020058024.tif 000003
【図２】
2020058024.tif 000004
【図３】
2020058024.tif 000005
【図４】
2020058024.tif 000006
【図５】
2020058024.tif 000007
【図６】
2020058024.tif 000008
【図７】
2020058024.tif 000009
【図８】
2020058024.tif 000010
【図９】
2020058024.tif 000011
【図１０】
2020058024.tif 000012
【図１１】
2020058024.tif 000013
【図１２】
2020058024.tif 000014
【図１３】
2020058024.tif 000015
【図１４】
2020058024.tif 000016
【図１５】
2020058024.tif 000017
【図１６】
2020058024.tif 000018
【図１７】
2020058024.tif 000019
【図１８】
2020058024.tif 000020
【図１９】
2020058024.tif 000021
【図２０】
2020058024.tif 000022
【図２１】
2020058024.tif 000023